(57)【要約】【課題】人体への密着感及び背負った時の安定感を向上させることを可能とするバッグを提供する。【解決手段】バッグ本体１と、一端部に係止用部材１３ａ，１３ｂを備えた略長尺状のパット部４ａ，４ｂ、パット部４ａ，４ｂの上方から延在しバッグ本体１の上端部分に接続される上側帯状体３ａ，３ｂ及びパット部４ａ，４ｂの下端から延在しバッグ本体１の下端部分に接続される下側帯状体５ａ，５ｂから構成されるショルダーストラップ２ａ，２ｂとを備えるバッグにおいて、バッグ本体１の裏面に縦方向に所定の間隔をおいて上側係止受リング１１ａ，１１ｂ及び下側係止受リング１２ａ，１２ｂを設け、係止用部材１３ａ，１３ｂを上側係止受リング１１ａ，１１ｂ又は下側係止受リング１２ａ，１２ｂのいずれかに係止することによってパット部４ａ，４ｂの一端部の取付位置を調整することを可能とする。【選択図】図１
0003115681.tif 000002
【実用新案登録請求の範囲】
【請求項１】
バッグ本体と、一端部に係止用部材を備えた略長尺状のパット部、前記パット部の上方から延在し前記バッグ本体の上端部分に接続される上側帯状体及び前記パット部の下端から延在し前記バッグ下端部分に接続される下側帯状体から構成されるショルダーストラップとを備えるバッグであって、
前記バッグ本体の裏面には縦方向に所定の間隔をおいて上側係止受部及び下側係止受部が設けられており、
前記係止用部材を前記上側係止受部又は前記下側係止受部のいずれかに係止することにより前記パット部の取付位置の高さを調整することが可能となっていることを特徴とするバッグ。
【請求項２】
前記下側帯状体は前記バッグ本体の側面下端部分に接続されていることを特徴とする請求項１記載のバッグ。
【請求項３】
前記上側帯状体は調整リングを介して前記バッグ本体に接続されることにより長さ調整が可能となっていることを特徴とする請求項１又は請求項２記載のバッグ。
【考案の詳細な説明】
【技術分野】
【０００１】
本考案はバッグに関し、特にストラップを備えたリュックサック形状のバッグに関する。
【背景技術】
【０００２】
従来から、登山やハイキングに用いる背負袋やラケット収納バッグとして、ストラップを備えたリュックサック形状のバッグが用いられている。このようなリュックサック形状のバッグにおいては、人体への密着感及び背負った時の安定感が重視され、種々のストラップ取付構造を備えたバッグが提案されている。
【０００３】
例えば、特許文献１には、２本のショルダーストラップをリュックサック本体の前面部の長手方向に並列して上部から下部まで一連に位置させ、底面部と裏面部との接合部でリュックサック本体と縫着し、かつ前面部と側面部との接合部でリュックサック本体と縫着して取り付けることにより、背中に背負ったリュックサック本体をショルダーストラップが底面部及び前面部の外側の下部から前面部の外側の上部にかけて包み込むように支持することを特徴とするリュックサックが記載されている。
【０００４】
上記のリュックサックは、２本のショルダーストラップを、リュックサックを背負った時に背面に密着する裏面部の上下両端部に取り付けたのと同様の構成となっている。
【特許文献１】特開２００２−３３６０４７号公報
【考案の開示】
【考案が解決しようとする課題】
【０００５】
しかしながら、リュックサックを背負う人の体形は一様ではなく、上記のリュックサックでは、ショルダーストラップの位置がリュックサックを背負う人の肩の位置に合わない場合があった。このような場合に、上記のリュックサックではショルダーストラップの長さや取付位置を調整することができないという問題があった。
【０００６】
また、上記のリュックサックでは、２本のショルダーストラップがリュックサック本体に並列するように縫着されていることから、歩行や走行の際にリュックサック本体が左右に振動することを防止できず、安定感が得られないという問題もあった。
【０００７】
本考案は上述した実情に鑑みてなされたものであり、ショルダーストラップの取付位置をリュックサック形状のバッグを背負う人の体形に合わせると共に、歩行や走行の際にバッグ本体が左右に振動することを防止して、人体への密着感及び背負った時の安定感を向上させることを可能とするバッグを提供することを目的とする。
【課題を解決するための手段】
【０００８】
上述した課題を解決するため請求項１に記載の考案は、バッグ本体と、一端部に係止用部材を備えた略長尺状のパット部、前記パット部の上方から延在し前記バッグ本体の上端部分に接続される上側帯状体及び前記パット部の下端から延在し前記バッグ下端部分に接続される下側帯状体から構成されるショルダーストラップとを備えるバッグであって、前記バッグ本体の裏面には縦方向に所定の間隔をおいて上側係止受部及び下側係止受部が設けられており、前記係止用部材を前記上側係止受部又は前記下側係止受部のいずれかに係止することにより前記パット部の取付位置の高さを調整することが可能となっていることを特徴とする。
【０００９】
請求項１に記載の考案によれば、パット部の一端部の係止用部材を、縦方向に所定の間隔をおいて設けられた上側係止受部又は下側係止受部のいずれかに係止することにより、パット部の一端部の取付位置を調整することが可能となる。すなわち、上側係止受部に係止すればパット部の取付位置は高くなり、下側係止受部に係止すればパット部の取付位置は低くなる。このパット部の一端部付近はバッグを背負う人の肩に当たる部分となる。したがって、バッグを背負う人の肩の位置に合わせてパット部の一端部の取付位置を調整することが可能となる。
【００１０】
請求項２に記載の考案は、請求項１記載のバッグであって、前記下側帯状体は前記バッグ本体の側面下端部分に接続されていることを特徴とする。
【００１１】
請求項２に記載の考案によれば、ショルダーストラップの下側帯状体をバッグ本体の側面下端部分に取り付け、バッグを背負った際にショルダーストラップの下側帯状体がバッグの両側面を支持する構成とすることにより、バッグの左右への振動を防止することが可能となる。
【００１２】
請求項３に記載の考案は、請求項１又は請求項２記載のバッグであって、前記上側帯状体は調整リングを介して前記バッグ本体に接続されることにより長さ調整が可能となっていることを特徴とする。
【００１３】
請求項３に記載の考案によれば、上側帯状体の長さを調整することにより、バッグを背負う人の身長や肩の位置に合わせて、パット部の位置を変更することが可能となる。
【考案の効果】
【００１４】
請求項１に記載の考案によれば、バッグを背負う人の肩の位置に合わせてパット部の取付位置の高さを調整することにより、バッグの人体への密着感及び背負った時の安定感が向上する。
【００１５】
請求項２に記載の考案によれば、歩行や走行の際におけるバッグの左右への振動を防止することにより、バッグの安定感を向上させることが可能となる。
【００１６】
請求項３に記載の考案によれば、バッグを背負う人の体形や肩の位置に合わせてパット部の位置を変更することにより、バッグの人体への密着感及び背負った時の安定感を向上させることが可能となる。
【考案を実施するための最良の形態】
【００１７】
以下、本考案の実施形態について説明する。
【００１８】
本考案に係るバッグはバッグ本体１に２本のショルダーストラップ２ａ，２ｂを備えたリュックサック形状のバッグであり、登山やハイキングに用いる背負袋のほか、ラケットなどのスポーツ用品を収納するバッグとして使用することが可能である。
【００１９】
図１に示すように、２本のショルダーストラップ２ａ，２ｂは上側帯状体３ａ，３ｂ、パット部４ａ，４ｂ及び下側帯状体５ａ，５ｂから構成されている。
【００２０】
このうち、パット部４ａ，４ｂは、緩衝材としての長尺状のスポンジをナイロン生地で覆うことによって構成されており、パット部４ａ，４ｂのうち人体に密着する裏面及び表面の一部はメッシュ生地などの通気性に優れた素材によって覆われている。また、上側帯状体３ａ，３ｂ及び下側帯状体５ａ，５ｂは強度のある合成繊維などによって構成されている。
【００２１】
一方、バッグ本体１の、背負った時に背中に密着する裏面の上端部付近には、横方向に所定の間隔をおいて取付用帯状体６ａ，６ｂが縫着されており、取付用帯状体６ａ，６ｂの先端には凹側のバックル７ａ，７ｂが取り付けられている。
【００２２】
凹側のバックル７ａ，７ｂには、凸側のバックル８ａ，８ｂが嵌合するようになっている。凸側のバックル８ａ，８ｂには調整リング９ａ，９ｂが形成されており、調整リング９ａ，９ｂにショルダーストラップ２ａ，２ｂの上側帯状体３ａ，３ｂの一端部を挿通し、折り返して再び挿通することにより、上側帯状体３ａ，３の一端部を凸側のバックル８ａ，８ｂに取り付けることが可能となっている。
【００２３】
このような構成により、ショルダーストラップ２ａ，２ｂの上側帯状体３ａ，３ｂの一端部は、凸側のバックル８ａ，８ｂを介してバッグ本体１の取付用帯状体６ａ，６ｂに取り付けることができるようになっている。
【００２４】
また、上側帯状体３ａ，３ｂは、その一端部を凸側のバックル８ａ，８ｂと反対方向に引くなどして調整リング９ａ，９ｂに挿通する位置をずらすことにより、長さを調整することが可能となっている。
【００２５】
なお、本実施形態において調整リング９ａ，９ｂは任意の構成部分であり、上側帯状体３ａ，３ｂの一端部を凸側のバックル８ａ，８ｂに直接取り付ける構成としてもよい。
【００２６】
また、上側帯状体３ａ，３ｂの他端部は、パット部４ａ，４ｂの一端部付近であって、バッグを背負った時に肩の位置となる部分付近の表面側に縫着されることにより接続されている。すなわち、上側帯状体３ａ，３ｂはパット部４ａ，４ｂの上方から延在し、バッグ本体１の上端部分に接続されるようになっている。
【００２７】
次に、バッグ本体１の裏面の２箇所には係止受用帯状体１０ａ，１０ｂが縫着されている。本実施形態では、バッグ本体１の裏面の上端部から縦方向に向かってバッグ本体１の高さ寸法の１／３〜１／２程度離れた位置に、横方向の間隔が取付用帯状体６ａ，６ｂとほぼ同間隔となるように係止受用帯状体１０ａ，１０ｂが縫着されている。なお、係止受用帯状体１０ａ，１０ｂの大きさ寸法は任意に設定することができる。
【００２８】
係止受用帯状体１０ａ，１０ｂは縦方向に縫着されており、上端部に上側係止受リング１１ａ，１１ｂが取り付けられると共に、下端部近傍に下側係止受リング１２ａ，１２ｂが取り付けられている。なお、本実施形態では２つの係止受リングを取り付けているが、３つ以上の係止受リングを取り付けることも可能である。また、複数の係止受リングの間隔は任意である。また、係止受用帯状体１０ａ，１０ｂを設けることなく、係止受リングをバッグ本体１の裏面に直接取り付ける構成としてもよい。
【００２９】
一方、ショルダーストラップ２ａ，２ｂのパット部４ａ，４ｂの一端部には、係止用部材１３ａ，１３ｂが設けられている。図１及び図２に示すように、係止用部材１３ａ，１３ｂをバッグ本体１の上側係止受リング１１ａ，１１ｂにそれぞれ係止させると、ショルダーストラップ２ａ，２ｂの肩に当たる部分を比較的高い位置にすることが可能となる。一方、図３に示すように、係止用部材１３ａ，１３ｂを下側係止受リング１２ａ，１２ｂにそれぞれ係止させると、ショルダーストラップ２ａ，２ｂの肩に当たる部分を比較的低い位置にすることが可能となる。このように本考案では、係止用部材１３ａ，１３ｂを上側係止受リング１１ａ，１１ｂ又は下側係止受リング１２ａ，１２ｂのいずれに係止するかによって、リュックサックを背負う人の体形に合わせてパット部４ａ，４ｂの取付位置の高さを調整することが可能となっている。
【００３０】
また、パット部４ａ，４ｂの表面側には、長手方向と直行する方向に胴体用ストラップ１４ａ，１４ｂがそれぞれ縫着されている。
【００３１】
このうちパット部４ａに縫着された胴体用ストラップ１４ａの先端部には凸側のバックル１５が取り付けられている。凸側のバックル１５には調整リング１６が形成されており、胴体用ストラップ１４ａの先端部を調整リング１６に挿通し、折り返して再び挿通することにより、胴体用ストラップ１４ａの先端部に凸側のバックル１５が取り付けられている。
【００３２】
また、胴体用ストラップ１４ａは、凸側のバックル１５と反対方向に引くなどして調整リング１６に挿通する位置をずらすことにより長さを調整することが可能となっている。
【００３３】
なお、本実施形態において調整リング１６は任意の構成部分であり、胴体用ストラップ１４ａの先端部を凸側のバックル１５に直接取り付ける構成としてもよい。
【００３４】
一方、パット部４ｂに縫着された胴体用ストラップ１４ｂの先端部には、凸側のバックル１５を嵌合させることが可能な凹側のバックル１７が取り付けられている。
【００３５】
このような構成により、ショルダーストラップ２ａ，２ｂに両腕を通してバッグを背負った状態で、胴体の前方で胴体用ストラップ１４ａの凸側のバックル１５を胴体用ストラップ１４ｂの凹側のバックル１７に嵌合させることにより、ショルダーストラップ２ａ，２ｂを互いに引き寄せた状態で接続することが可能となっている。
【００３６】
また、パット部４ａ，４ｂの表面側には、胴体用ストラップ１４ａ，１４ｂを上部から抑える抑え用帯状体１８ａ，１８ｂが長手方向に沿って縫着されており、胴体用ストラップ１４ａ，１４ｂの強度を補強している。
【００３７】
次に、パット部４ａ，４ｂの他端部には調整リング１９ａ，１９ｂが設けられており、調整リング１９ａ，１９ｂには、下側帯状体５ａ，５ｂの一端部が挿通され、折り返して再び挿通されることにより、長さ調整可能に接続されている。
【００３８】
なお、本実施形態において調整リング１９ａ，１９ｂは任意の構成部分であり、パット部４ａ，４ｂの他端部に下側帯状体５ａ，５ｂの一端部を直接縫着するなどして接続する構成としてもよい。
【００３９】
また、下側帯状体５ａ，５ｂの他端部には凸側のバックル２０ａ，２０ｂが設けられている。
【００４０】
一方、バッグ本体１の両側面の下端部付近には、それぞれ取付用帯状体２１ａ，２１ｂが縫着されており、取付用帯状体２１ａ，２１ｂの先端には凹側のバックル２２ａ，２２ｂが取り付けられている。
【００４１】
そして、下側帯状体５ａ，５ｂの凸側のバックル２０ａ，２０ｂを取付用帯状体２１ａ，２１ｂの凹側のバックル２２ａ，２２ｂに嵌合させることにより、ショルダーストラップ２ａ，２ｂの下側帯状体５ａ，５ｂの他端部を凸側のバックル２０ａ，２０ｂによりバッグ本体１の取付用帯状体２１ａ，２１ｂに取り付けることが可能となっている。すなわち、下側帯状体５ａ，５ｂはパット部４ａ，４ｂの下端から延在し、バッグ本体１の下端部分に接続されるようになっている。
【００４２】
このように、下側帯状体５ａ，５ｂの凸側のバックル２０ａ，２０ｂをバッグ本体１の両側面の下端部付近に縫着された取付用帯状体２１ａ，２１ｂの凹側のバックル２２ａ，２２ｂに嵌合させることにより、ショルダーストラップ２ａ，２ｂはバッグ本体１の裏面の上端部付近から両側面の下端部付近にかけてそれぞれ斜めに取り付けられる。こうしてバッグを背負った際にショルダーストラップ２ａ，２ｂがバッグ本体１の両側面を支持する構成とすることにより、バッグ本体１の左右への振動を防止することが可能となっている。
【００４３】
次に、本実施形態に係るバッグの作用について説明する。
【００４４】
ショルダーストラップ２ａ，２ｂをバッグ本体１に取り付けるには、まず、バッグ本体１の裏面の上端部付近に設けられた取付用帯状体６ａ，６ｂの凹側のバックル７ａ，７ｂに、凸側のバックル８ａ，８ｂを嵌合させる。
【００４５】
続いて、凸側のバックル８ａ，８ｂに形成された調整リング９ａ，９ｂに、上側帯状体３ａ，３ｂの一端部を挿通し、折り返して再び挿通することによって取り付ける。この際、上側帯状体３ａ，３ｂの一端部を凸側のバックル８ａ，８ｂと反対方向に引くなどして調整リング９ａ，９ｂに挿通する位置をずらすことにより、上側帯状体３ａ，３ｂの長さを調整することができる。
【００４６】
なお、予め調整リング９ａ，９ｂに上側帯状体３ａ，３ｂの一端部を挿通して取り付けた凸側のバックル８ａ，８ｂを、取付用帯状体６ａ，６ｂの凹側のバックル７ａ，７ｂに嵌合させることによって、上側帯状体３ａ，３ｂの一端部をバッグ本体１に取り付けてもよい。
【００４７】
次に、バッグ本体１の調整リング１９ａ，１９ｂに下側帯状体５ａ，５ｂの一端部を挿通して取り付ける。この際、下側帯状体５ａ，５ｂの一端部を調整リング１９ａ，１９ｂと反対方向に引くなどして調整リング１９ａ，１９ｂに挿通する位置をずらすことにより、下側帯状体５ａ，５ｂの長さを調整することができる。
【００４８】
続いて、バッグ本体１の両側面の下端部付近に設けられた取付用帯状体２１ａ，２１ｂの凹側のバックル２２ａ，２２ｂに、下側帯状体５ａ，５ｂの他端部に設けられた凸側のバックル２０ａ，２０ｂを嵌合させる。
【００４９】
次に、バッグ本体１に縫着された係止受用帯状体１０ａ，１０ｂの上側係止受リング１１ａ，１１ｂ又は下側係止受リング１２ａ，１２ｂのいずれか一方に、パット部４ａ，４ｂの係止用部材１３ａ，１３ｂを係止させる。
【００５０】
この際、図１及び図２に示すように、係止用部材１３ａ，１３ｂを上側係止受リング１１ａ，１１ｂにそれぞれ係止させると、ショルダーストラップ２ａ，２ｂの肩に当たる部分を比較的高い位置にすることができる。一方、図３に示すように、係止用部材１３ａ，１３ｂを下側係止受リング１２ａ，１２ｂにそれぞれ係止させると、ショルダーストラップ２ａ，２ｂの肩に当たる部分を比較的低い位置にすることができる。
【００５１】
次に、ショルダーストラップ２ａ，２ｂに両腕を通してバッグを背負った状態で、胴体の前方で胴体用ストラップ１４ａの先端部に設けられた凸側のバックル１５を胴体用ストラップ１４ｂの先端部に設けられた凹側のバックル１７に嵌合させる。これにより、ショルダーストラップ２ａ，２ｂは胴体用ストラップ１４ａ，１４ｂにより互いに引き寄せられた状態で接続される。この際、胴体用ストラップ１４ａを凸側のバックル１５と反対方向に引くなどして調整リング１６に挿通する位置をずらすことにより、胴体用ストラップ１４ａの長さを調整することができる。
【００５２】
なお、ショルダーストラップ２ａ，２ｂに両腕を通してバッグを背負った状態で、上側帯状体３ａ，３ｂ、下側帯状体５ａ，５ｂ又は胴体用ストラップ１４ａの長さを調整することや、係止用部材１３ａ，１３ｂの係止位置を変更することにより肩の位置を調整することも可能である。
【００５３】
このように本実施形態に係るバッグによれば、パット部４ａ，４ｂの係止用部材１３ａ，１３ｂを、縦方向に所定の間隔をおいて設けられた上側係止受リング１１ａ，１１ｂ又は下側係止受リング１２ａ，１２ｂのいずれかに係止することにより、パット部４ａ，４ｂの取付位置の高さを調整することが可能となる。すなわち、上側係止受リング１１ａ，１１ｂに係止すればパット部の取付位置は高くなり、下側係止受リング１２ａ，１２ｂに係止すればパット部の取付位置は低くなる。このパット部４ａ，４ｂの一端部付近はバッグを背負う人の肩に当たる部分となる。したがって、バッグを背負う人の肩の位置に合わせてパット部４ａ，４ｂの取付位置の高さを調整することが可能となる。
【００５４】
また、ショルダーストラップ２ａ，２ｂの下側帯状体５ａ，５ｂをバッグ本体１の側面下端部分に取り付け、バッグを背負った際に下側帯状体５ａ，５ｂがバッグ本体１の両側面を支持する構成とすることによりバッグの左右への振動を防止することが可能となる。
【００５５】
また、上側帯状体３ａ，３ｂの長さを調整することにより、バッグを背負う人の身長や肩の位置に合わせて、パット部４ａ，４ｂの位置を変更することが可能となる。
【００５６】
なお、本実施形態では、バッグ本体１に取付用帯状体６ａ，６ｂ及び取付用帯状体２１ａ，２１ｂを設けているが、上側帯状体３ａ，３ｂをバッグ本体１の裏面の上端部付近に直接縫着する構成とすることや、下側帯状体５ａ，５ｂをバッグ本体１の両側面の下端部付近に直接縫着する構成とすることも可能である。
【００５７】
以上詳述したように本考案によれば、バッグを背負う人の肩の位置に合わせてパット部の取付位置の高さを調整することにより、バッグの人体への密着感及び背負った時の安定感が向上する。
【００５８】
また、歩行や走行の際におけるバッグの左右への振動を防止することにより、バッグの安定感を向上させることが可能となる。
【００５９】
また、バッグを背負う人の体形や肩の位置に合わせてパット部の位置を変更することにより、バッグの人体への密着感及び背負った時の安定感を向上させることが可能となる。
【図面の簡単な説明】
【００６０】
【図１】本考案の実施形態に係るバッグの全体構成を示す正面図である。
【図２】本考案の実施形態に係るストラップの取付位置を示す側面図である。
【図３】本考案の実施形態に係るストラップの他の取付位置を示す側面図である。
【符号の説明】
【００６１】
１  バッグ本体 
２ａ，２ｂ  ショルダーストラップ 
３ａ，３ｂ  上側帯状体 
４ａ，４ｂ  パット部
５ａ，５ｂ  下側帯状体
６ａ，６ｂ  取付用帯状体
７ａ，７ｂ  凹側のバックル
８ａ，８ｂ  凸側のバックル
９ａ，９ｂ  調整リング
１０ａ，１０ｂ  係止受用帯状体
１１ａ，１１ｂ  上側係止受リング
１２ａ，１２ｂ  下側係止受リング
１３ａ，１３ｂ  係止用部材
１４ａ，１４ｂ  胴体用ストラップ
１５  凸側のバックル
１６  調整リング
１７  凹側のバックル
１８ａ，１８ｂ  抑え用帯状体
１９ａ，１９ｂ  調整リング
２０ａ，２０ｂ  凸側のバックル
２１ａ，２１ｂ  取付用帯状体
２２ａ，２２ｂ  凹側のバックル
【図１】
0003115681.tif 000003
【図２】
0003115681.tif 000004
【図３】
0003115681.tif 000005